(57)【特許請求の範囲】
【請求項１】
内側プレートと、この内側プレートに対向させた外側プレートと、上記内側プレートと外側プレートとの対向部間にセットするバンドコイルとを備えたバンドコイル用装着リールにおいて、上記内側プレートあるいは外側プレートのいずれか一方のプレートに複数の湾曲部からなり、これら複数の湾曲部が相まって全体として先細りの筒状を構成する保持部材を設け、いずれか他方のプレートに同じく先細りにしたはめ込み用筒部材を設け、保持部材の先端の直径に対して、はめ込み用筒部材の先端直径を小さくし、内側プレートと外側プレートとを対向させながら、保持部材にはめ込み用筒部材を押し込むことによって、上記保持部材の外径が拡大する構成にしたことを特徴とするバンドコイル用装着リール。
【請求項２】
いずれか一方のプレートに設けた複数の湾曲部の外側面に、軸方向に伸びる角部を設けたことを特徴とする請求項１に記載のバンドコイル用装着リール。
【請求項３】
バネ部と固定部とを備えた板バネを設け、いずれか一方のプレートに設けた複数の湾曲部の内側に上記板バネのバネ部を固定するとともに、上記板バネの固定部を当該プレートに固定したことを特徴とする請求項１または２に記載のバンドコイル用装着リール。
【請求項４】
板バネを構成する固定部とバネ部とが、９０度以下の角度を保持し、通常は、保持部材を先細り形状に保つことを特徴とする請求項３に記載のバンドコイル用装着リール。
【請求項５】
いずれか一方のプレートと、このプレートに設けた複数の湾曲部との間に、湾曲部を揺動させるためのすき間を設けたことを特徴とする請求項１〜４のいずれか１に記載のバンドコイル用装着リール。
【発明の詳細な説明】
【０００１】
【発明の属する技術分野】
この発明は、梱包物にバンド掛けする梱包機のバンドリール、特にバンドコイルを装着したバンドコイル用装着リールに関する。
【０００２】
【従来の技術】
図６〜８は従来から知られた梱包機で、図６に示す本体１の側面にバンドコイル用装着リール２を備えている。また、上記本体１に一対のテーブル３、４を載せるとともに、それらテーブル３、４間に、バンド通路５を確保している。上記テーブル３、４の両端には、アーチガイド６を固定するとともに、このアーチガイド６にはバンドウェイ７を設けている。
また、本体１の内部に設けたシーリングユニット８には、バンドの引き締め、切断および熱圧着する機構を備えている。
さらに、バンドをプールしておくためのプールボックスを、図に示していないが、本体１に設けている。このプールボックスは、バンドコイル用装着リール２から引き出したバンドをシーリングユニット８に繰り出す前に、バンドを一時プールしておくための箱である。
【０００３】
上記のように構成した梱包機で、梱包物にバンド掛けするときの作動について説明する。
図６に示すように、梱包機を作動させ、上記プールボックスよりアーチガイド６内へバンドを送り出す。このバンドは、本体１の内部のシーリングユニット８を経由して、アーチガイド６のバンドウェイ７を通って、再びシーリングユニット８に戻る。
このようにバンドをセットしたら、図６のテーブル３、４にまたがるように梱包物を置く。そして、図に示さない起動ボタンを押すと、シーリングユニット８は、バンドの締め付け、切断、熱圧着を連続して行なう。このようにして、梱包物にバンド掛けをする。
【０００４】
このように梱包物にバンド掛けをするとき、バンドウェイ７にバンドを素早く通すために、上記プールボックスからバンドを繰り出すようにしている。つまり、バンドコイル用装着リール２から直接バンドを引き出すのではなく、プールボックスにプールしたバンドを引き出している。
プールボックス内ではバンドを交互に折り曲げるようにしてプールし、バンドを引っ張るときの抵抗力がほとんど無いようにしているので、バンドをシーリングユニット８へ繰り出すローラ駆動モータへの負荷は小さく済む。
【０００５】
上記従来の梱包機では、バンド掛けの作動時によらず、本体１内に設けたプールローラが、バンドコイル用装着リール２からバンドを引き出し、プールボックス内に常に設定量のバンドをプールするようにしている。
【０００６】
次に、バンドコイル用装着リール２の構成について説明する。バンドコイル用装着リール２の構成を、図７の分解斜視図に示す。
バンドコイル用装着リール２は、図７に示すように、内側プレート２０と外側プレート２１とを対向させ、それら対向間に、バンドコイル９をセットするようにしている。そして、内側プレート２０側に軸２２を貫通させ、この軸２２の先端に外側プレート２１を貫通させるとともに、その貫通端にハンドル２３をはめるようにしている。
なお、図８中符号２５は、内側プレート２０を止めるための固定具である。
【０００７】
上記外側プレート２１の中心部を通した軸２２の先端部分には、ねじ山を設けている。その一方で、図７のハンドル２３には、この軸２２のねじ山に合うねじ溝を設けている。軸２２のねじ山にハンドル２３のねじ溝を合わせて、ハンドル２３を回す構成にしている。このようにハンドル２３を回すと、外側プレート２１もハンドルに押されて移動し、両プレート２０、２１の間隔を狭くする。
したがって、両プレート２０、２１の間にバンドコイル９をセットしておけば、ハンドル２３を回すことによって、バンドコイル９を外側プレート２１で押すことができる。
【０００８】
上記内側プレート２０であって、外側プレート２１との対向面に、図７に示すように、筒部材２４を設けている。この筒部材２４は、図８に示すように、内側プレート２０に取り付けた基端からその先端まで、その直径Ｌ２を一様にしている。また、上記筒部材２４の直径Ｌ２をバンドコイル９の中空部９ａの直径Ｌ１より、わずかに小さくしている。
上記のように、筒部材２４の直径Ｌ２をバンドコイル９の中空部９ａ直径Ｌ１より小さくしているのは、内側プレート２０の筒部材２４にバンドコイル９を入れやすくするためである。
【０００９】
そして、バンドコイル９の中空部９ａに筒部材２４を挿入した状態で、ハンドル２３を回せば、外側プレート２１がバンドコイル９を内側プレート２０側に押す。このようにハンドル２３を締め付けて、内側プレート２０と外側プレート２１とが、バンドコイル９をその両側面から強く挟むようにしている。
なお、筒部材２４の直径Ｌ２は、バンドコイル９の中空部９ａの直径Ｌ１よりわずかに小さくしているので、上記のようにバンドコイル９を筒部材２４に装着したときには、筒部材２４と中空部９ａとの間に、わずかにすき間ができるのは当然である。
【００１０】
上記のようにバンドコイル９が両側面から強い力で挟まれるので、バンドコイル９からバンドを引き出せば、バンドコイル９とバンドコイル用装着リール２とが一体回転する。そして、このバンドコイル用装着リール２は、その軸２２が図示していない軸受に支持されているので、リールはスムーズに回転する。したがって、バンドを引き出す力も小さくてすむとともに、バンドそれ自体もスムーズに引き出すことができる。
【００１１】
なお、バンドコイル９には、その中空部９ａに芯管を入れたものと、芯管がないものとがある。芯管には、通常紙管を用いている。
紙管を入れたバンドコイル９は、その紙管が筒部材２４に押し込められる。しかし、紙管がないバンドコイル９は、その中空部９ａに露出するバンドが筒部材２４に直接接触することになる。
【００１２】
【発明が解決しようとする課題】
中空部９ａに紙管を入れたバンドコイルの場合に、その中空部９ａにおけるバンドの巻き状態が崩れることはめったにない。
しかし、中空部９ａにコアを挿入しない紙管無しバンドコイルの場合には、その中空部９ａに露出するバンドの巻き状態が崩れてしまうという問題があった。このようにバンドコイルの巻き状態が崩れてしまう理由は、次の通りである。
【００１３】
前記したようにバンドコイル９の中空部９ａに筒部材２４を挿入すると、筒部材２４とバンドコイル９の中空部９ａとの間にすき間ができてしまう。このようにすき間ができると、その部分では、筒部材２４が中空部９ａに露出するバンドを押さえることができなくなる。バンドを押さえることができないので、このすき間ができた部分では、バンドの巻き状態が崩れやすくなる。
この状態で、バンドコイル９を連続して回していると、バンドの巻き状態がどんどん崩れていき、最後には中空部９ａがぐずぐずになってしまう。
【００１４】
上記のように中空部９ａがぐずぐずになると、バンドコイル９に対する筒部材２４の押さえが効かなくなり、バンドを引き出したときバンドコイル９だけが空回転することになる。
中空部９ａがぐずぐすになってバンドコイル９が空回転するようになると、バンドの引き出しもスムーズに行かなくなってしまう。例えば、バンドコイル用装着リール２が回転している限りは、それが軸受に支持されているのでスムーズに回転する。しかし、バンドコイルだけが空回転した場合には、バンドコイル９と筒部材２４との摩擦などのために、バンドコイル９がスムーズに回転しなくなる。そのために、バンドの引き出しも、スムーズにいかなくなるという問題があった。
また、巻きが崩れてたるんだバンドが、筒部材２４の中に入り込んで、絡まってしまうこともある。筒部材２４の中でバンドが絡まれば、それこそバンドコイル用装着リール２が回転しなくなり、バンドを引き出せなくなるといった問題も発生する。
【００１５】
上記のようにバンドをスムーズに引き出せないと、プールローラに過大な負荷がかかることになる。このまま無理に使い続けると、プールローラが回転できなくなってしまうことになる。あるいはプールローラが空回転するため、ローラの回転がバンドを削ったり、回転による摩擦熱がバンドを溶かしてしまったりする問題も生じていた。
この発明の目的は、芯管を有しないバンドコイル中空部に面したバンドをたるませることのないバンドコイル用装着リールを提供することである。
【００１６】
【課題を解決するための手段】
第１の発明は、内側プレートと、この内側プレートに対向させた外側プレートと、上記内側プレートと外側プレートとの対向部間にセットするバンドコイルとを備えたバンドコイル用装着リールにおいて、上記内側プレートあるいは外側プレートのいずれか一方のプレートに複数の湾曲部からなり、これら複数の湾曲部が相まって全体として先細りの筒状を構成する保持部材を設け、いずれか他方のプレートに同じく先細りにしたはめ込み用筒部材を設け、保持部材の先端の直径に対して、はめ込み用筒部材の先端直径を小さくし、内側プレートと外側プレートとを対向させながら、保持部材にはめ込み用筒部材を押し込むことによって、上記保持部材の外径が拡大する構成にした点に特徴を有する。
【００１７】
第２の発明は、第１の発明を前提にしつつ、いずれか一方のプレートに設けた複数の湾曲部の外側面に、軸方向に伸びる角部を設けた点に特徴を有する。
第３の発明は、第１の発明または第２の発明を前提にしつつ、バネ部と固定部とを備えた板バネを設け、いずれか一方のプレートに設けた複数の湾曲部の内側に上記板バネのバネ部を固定するとともに、上記板バネの固定部を当該プレートに固定した点に特徴を有する。
【００１８】
第４の発明は、第３の発明を前提にしつつ、板バネを構成する固定部とバネ部とが、９０度以下の角度を保持し、通常は、保持部材を先細り形状に保つことを特徴とする。
第５の発明は、上記発明を前提にしつつ、いずれか一方のプレートと、このプレートに設けた複数の湾曲部との間に、湾曲部を揺動させるためのすき間を設けた点に特徴を有する。
【００１９】
【発明の実施の形態】
図１〜図５は、バンドコイル用装着リール１０の構造を主に示したもので、このバンドコイル用装着リール１０以外の構造は、従来と同様である。従来と同様の構成要素については、同一符号を付して説明し、その詳細を省略する。
バンドコイル用装着リール１０は、図１に示すように、内側プレート１１と外側プレート１４とを対向させ、それら対向間に、バンドコイル９をセットするようにしている。
上記のようにした両プレート１１、１４は、図３に示すように、それらの対向側面中央を隆起させてボス部１１ａ、１４ａを形成し、このボス部１１ａ、１４ａに軸通し部１１ｂ、１４ｂを形成している。
【００２０】
上記のようにした内側プレート１１側の軸通し部１１ｂには軸２２を貫通させるとともに、固定具２５で軸２２に内側プレート１１を固定している。そして、上記軸２２は本体１側に設けた軸受に回転自在に支持されているが、この本体１側に設けた軸受は図示していない。
また、外側プレート１４側の軸通し部１４ｂには、上記軸２２を貫通させるようにし、その貫通端に、後で説明するハンドル２３を止め、外側プレート１４が軸２２から抜けないようにしている。
【００２１】
図１に示すように、上記内側プレート１１には、バンドコイル９の中空部９ａに挿入するための保持部材１２を備えている。この保持部材１２は、３つの湾曲部１２ａからなり、これら３つの湾曲部１２ａが相まって、全体として筒状になるようにしている。
そして、これら湾曲部１２ａは、板バネ１３を介して内側プレート１１に固定している。すなわち、上記板バネ１３は、図２に示すように、バネ部１３ａと固定部１３ｂとからなり、バネ部１３ａを湾曲部１２ａの内側に固定し、固定部１３ｂを内側プレート１１に固定している。つまり、図３に示すように、固定部１３ｂに設けたネジ孔１３ｃ、１３ｃに、ネジ１６、１６を通して、内側プレート１１のボス部１１ａにねじ止めしている。
【００２２】
しかも、上記のようにボス部１１ａに固定した板バネ１３は、バネ部１３ａと固定部１３ｂとが、通常は９０度以下の角度を保つようにしている。したがって、このバネ部１３ａに固定した各湾曲部１２ａは、内側プレート１１の面に対して９０度以下の角度を保つことになる。言い換えると、各湾曲部１２ａが相まって形成される保持部材１２は、基端の直径に対して先端の直径が小さくなる先細り形状になる。
【００２３】
また、上記各湾曲部１２ａの基端は、図３に示すように、内側プレート１１との間にすき間１８を形成するようにしている。このようにすき間１８を形成しているので、湾曲部１２ａはバネ部１３ａとともに揺動できることになる。もし、湾曲部１２ａの端部が内側プレート１１にぴったりと接触していれば、湾曲部１２ａは揺動できなくなる。しかし、上記のようにすき間１８を形成しておけば、湾曲部１２ａは自由に揺動できることになる。
上記のように各湾曲部１２ａが揺動できるというということは、保持部材１２全体で見れば、その先端開口が拡大できることになる。したがって、保持部材１２の先端に直径の大きなものを強制的に押し込めば、その開口が拡大することになる。
【００２４】
また、保持部材１２の先端に押し込んだ上記のものを引き抜けば、バネ部１３ａの弾性力で、保持部材１２をもとの状態に戻すことができる。言い換えると、保持部材１２の先端に特別な力が作用しない限り、通常は、保持部材１２を先細り形状に保つ。
このように、保持部材１２を先細り形状にしているのは、後で詳しく説明するが、バンドコイル９の中空部９ａに保持部材１２を入れやすくするためである。また、上記保持部材１２の最大径部は、バンドコイル９の中空部９ａの内径とほぼ一致させている。
【００２５】
なお、この実施例では、図２に示すように、湾曲部１２ａの外側面に、軸方向に伸びる角部１２ｂを４箇所設けているが、この角部１２ｂは、バンドコイル９の中空部９ａ側からバンドに食い込ませ、バンドコイル９が空回りしないようにするためのものである。
【００２６】
また、外側プレート１４には、上記内側プレート１１との対向面に、はめ込み用筒部材１５を設けている。
上記はめ込み用筒部材１５は、前記した板バネ１３と同様の固定板１７で外側プレート１４のボス部１４ａに固定している。ただし、この固定板１７は、剛性を保持したもので、板バネ１３のように揺動することはない。したがって、はめ込み用筒部材１５は、外側プレート１４に対して固定的に取り付けられることになる。
なお、図中符号１９は、固定板１７をボス部１４ａに固定するためのネジで、固定板１７に形成したネジ孔１７ａを通して、外側プレート１４に止めるものである。
【００２７】
上記のようにしたはめ込み用筒部材１５は、その先端を先細りにしているが、その先端の直径は、前記した保持部材１２の先端の直径よりも小さくしている。
したがって、はめ込み用筒部材１５の先端を保持部材１２につき合わせて、外側プレート１４を内側プレート１１側に押し付ければ、はめ込み用筒部材１５が保持部材１２に強制的に押し込まれることになる。
【００２８】
このように保持部材１２にはめ込み用筒部材１５が押し込まれると、保持部材１２の湾曲部１２ａが押し開かれることになる。言い換えると、保持部材１２の先端内径が拡大することになる。このように保持部材１２の内径が拡大できるのは、前記したとおりである。
また、上記のように保持部材１２にはめ込み用筒部材１５をはめた状態から、はめ込み用筒部材１５を保持部材１２から引き抜くと、保持部材１２は元の形状、すなわち先細りの形状に戻されることも、前記したとおりである。
【００２９】
なお、板バネ１３の先端は、湾曲部１２ａの先端から突出させて突出片１３ｄとしている。この突出片１３ｄは、はめ込み用筒部材１５を保持部材１２に押し込むときに、最初にこの突出片１３ｄをはめ込み用筒部材１５に接触させるようにしている。このように突出片１３ｄが最初にはめ込み用筒部材１５に接触すれば、保持部材１２の先端を押し開くタイミングが早くなる。保持部材１２の先端を押し開くタイミングを早くすれば、それだけはめ込み用筒部材１５と保持部材１２とが干渉し合うようなことがなくなる。
【００３０】
上記のように外側プレート１４のはめ込み用筒部材１５を保持部材１２に押し込んだら、軸２２の先端を、外側プレート１４に形成した軸通し部１４ｂに貫通させ、その貫通端にハンドル２３を止める。このようにすることによって、内側プレート１１と外側プレート１４とがしっかりと止められるとともに、それらが相まってバンドコイル用装着リール１０を構成することになる。
【００３１】
上記のように構成したバンドコイル用装着リール１０に、バンドコイル９を装着するプロセスを次に説明する。
先ず、図４に示すように、バンドコイル９の中空部９ａに保持部材１２を挿入するが、このときにはバンドコイル９を保持部材１２の最大径部分までしっかりと押し込む。
ここで、バンドコイル９の中空部９ａに保持部材１２を挿入するとき、保持部材１２はその先端が先細りしているので、バンドコイル９の中空部９ａに保持部材１２を入れやすい。すなわち、前記したように、保持部材１２からはめ込み用筒部材１５を引き抜いた状態では、バネ部１３ａの弾性力で、保持部材１２は常に先細り形状をしている。そのため、バンドコイル９の中空部９ａに保持部材１２を挿入するときは、バンドコイル９の中空部９ａに保持部材１２を常に入れやすくなる。
【００３２】
上記のようにしてからはめ込み用筒部材１５を、上記保持部材１２に押し込めば、図５に示すように、保持部材１２の先端の内径が拡大するとともに、その外径が拡大し、各湾曲部１２ａが中空部９ａの内面にぴったりと接触する。この状態でハンドル２３を軸２２にしっかりと止めれば、バンドコイル９は、バンドコイル用装着リール１０に装着されることになる。
しかも、上記のように各湾曲部１２ａがバンドコイル９の中空部９ａの内面にぴったりと接触するので、この中空部９ａ内のバンドの巻き状態が崩れたりしない。
【００３３】
以上のことから明らかなように、この実施例によれば、バンドコイル用装着リール１０にバンドコイル９を装着したとき、各湾曲部１２ａをバンドコイル９の中空部９ａの内面にぴったりと装着させることができる。このように、バンドコイル９の中空部９ａの内面に各湾曲部１２ａをぴったりと接触させられるので、たとえ、芯管無しバンドコイルの場合であっても、その中空部内の巻き状態が崩れたりしない。中空部内の巻き状態を保てるので、バンドを引き出すとき、バンドコイル９がバンドコイル用装着リール１０と一体になって回転する。例えば、従来は、中空部９ａ内において、バンドの巻き状態が崩れてぐずぐずになり、バンドコイルだけが空回りしていたが、この実施例では、そのような問題が発生しない。
【００３４】
また、バンドコイル９がバンドコイル用装着リール１０と一体になって回転するので、バンドコイル用装着リール１０の回転ががたつくことがない。バンドコイル用装着リール１０の回転ががたつかないので、プールモータに過大な負荷をかけることがない。
【００３５】
さらに、湾曲部１２ａには、図２に示す角部１２ｂを設けているので、この角部１２ｂがバンドコイル９に食い込む。角部１２ｂが中空部９ａ側からバンドに食い込むので、バンドコイル９をバンドコイル用装着リール１０に、より強く固定できる。
そのため、バンドコイル９とバンドコイル用装着リール１０とが、必ず一体になって回転する。つまり、バンドコイル９が空回転することが少なくなる。
【００３６】
なお、この実施例では、湾曲部１２ａに角部１２ｂを設けたが、角部１２ｂを設けずに、湾曲部１２ａを曲面にしてもよい。湾曲部１２ａを曲面にしても、上記実施例のように、リール１０を組み立てると、湾曲部１２ａの曲面全体がバンドコイル９の中空部９ａ側からバンドを均一に押す。そのため、バンドを引っ張ると、バンドコイル９はバンドコイル用装着リール１０と一体になって回転する。そして、バンドコイル９の中空部９ａからバンドがゆるむことがない。
さらに、湾曲部１２ａに設けた角部１２ｂは、バンドに食い込ませるためのものなので、角部１２ｂを４箇所に限らず、いくつ設けてもよいし、フィンのような突起を設けてもよい。
【００３７】
また、上記実施例では、湾曲部１２ａを３つ設けたが、３つに限らない。要するに、保持部材１２の外径が拡大できれば、その数は問わない。
さらに、上記実施例で、湾曲部１２ａは、短冊状の板の縁を複数突き合わせて一体にした形状にしているが、上記短冊状の板を独立させ、これら複数の板状片が相まって保持部材を構成するようにしてもよい。
【００３８】
上記実施例では、内側プレート１１に保持部材１２を構成し、外側プレート１４にはめ込み用筒部材１５を構成しているが、内側であるか、外側であるかの位置を問わない。つまり、対向する２枚のプレートがあって、どちらか一方のプレートに保持部材１２を構成したら、他方のプレートにはめ込み用筒部材１５を構成すればよい。
【００３９】
【発明の効果】
第１の発明によれば、内側プレートと外側プレートとの対向部間にバンドコイルをセットし、内側プレートに複数の湾曲部からなる先細りにした保持部材を設け、外側プレートに同じく先細りにしたはめ込み用筒部材を設け、保持部材の先端の直径に対して、はめ込み用筒部材の先端直径を小さくし、内側プレートと外側プレートとを対向させながら、保持部材にはめ込み用筒部材を押し込むことによって、保持部材の外径が拡大する構成にしている。
そのため、芯管無しバンドコイルであっても、中空部内のバンドをしっかり固定する。バンドコイルの中空部のバンドをしっかり固定するので、芯管無しバンドコイルの中空部からバンドがゆるむことがない。したがって、バンドを引き出すとき、バンドコイルがバンドコイル用装着リールと一体になって回転する。
バンドコイルがバンドコイル用装着リールと一体になって回転するので、バンドコイル用装着リールの回転ががたつくことがない。バンドコイル用装着リールの回転ががたつかないので、プールモータに過大な負荷をかけることがない。
【００４０】
第２の発明によれば、内側プレートに設けた複数の湾曲部に角部を設けたので、角部がバンドコイルのバンド面に食い込む。そのため、バンドコイルとリールとが必ず一体になって回転する。つまり、バンドコイルが空回転することがより少なくなる。
【００４１】
第３の発明によれば、バネ部と固定部とを備えた板バネを設け、内側プレートに設けた複数の湾曲部の内側に、板バネのバネ部を固定するとともに、板バネの固定部を内側プレートに固定している。このように湾曲部を内側プレートに固定しているので、複数の湾曲部から構成される保持部材の先細り形状を保持することができる。
第４の発明によれば、板バネを構成する固定部とバネ部とが、９０度以下の角度を保持し、通常は、保持部材を先細り形状に保っている。このように、通常は、保持部材を先細り形状に保っているので、バンドコイルの中空部に保持部材を何度挿入しても、その都度、保持部材をバンドコイルの中空部に挿入しやすい。
【００４２】
第５の発明によれば、いずれか一方のプレートと、このプレートに設けた複数の湾曲部との間に、湾曲部を揺動させるためのすき間を設けている。このように各湾曲部が揺動できるようにしているので、保持部材全体で見れば、その先端開口が拡大できる。つまり、保持部材の先端に直径の大きなものを強制的に押し込めば、各湾曲部が揺動し、保持部材の開口を拡大できる。
【図面の簡単な説明】
【図１】実施例のリールの分解斜視図である。
【図２】実施例における湾曲部を示す図である。
【図３】実施例におけるリールの要部断面図である。
【図４】バンドコイルの装着を説明する図である。
【図５】バンドコイル装着後のリールの断面図である。
【図６】従来の梱包機を示す図である。
【図７】従来のリールの分解斜視図である。
【図８】従来のリールの断面図である。
【符号の説明】
１０          バンドコイル用装着リール
１１          内側プレート
１２          保持部材
１２ａ        湾曲部
１２ｂ        角部
１３          板バネ
１３ａ        バネ部
１３ｂ        固定部
１４          外側プレート
１５          はめ込み用筒部材
１８          すき間
【図１】
0004357103.tif 000002
【図２】
0004357103.tif 000003
【図３】
0004357103.tif 000004
【図４】
0004357103.tif 000005
【図５】
0004357103.tif 000006
【図６】
0004357103.tif 000007
【図７】
0004357103.tif 000008
【図８】
0004357103.tif 000009